(57)【要約】【課題】ライトプロテクトがオンの状態である場合でも、記録装置や記録条件の違いによるオフセット誤差を補正し、ライトプロテクトのオン・オフの設定に依存することなく、最適なサーボオフセット値を精度良く決定し、調整を行なう。【解決手段】光ディスク装置は、コントローラ２０９の制御のもとで、ライトプロテクトのオン・オフを検出する検出部２１１と、ライトプロテクトのオフのときに光ディスク２０１の記録テスト領域でオフセット調整用マークの試行記録を行い、該マークを再生することによって再生信号の品位とサーボオフセット値とを対応付けて学習する第１学習手段によるオフセット調整部２１３と、ライトプロテクトのオンのときに試行記録を行なわずに前記光ディスクに記録されているユーザデータを再生することによって再生信号の品位と該サーボオフセット値とを対応付けて学習する第２学習手段によるオフセット調整部２１４とを有する。【選択図】  図１
2004318982.tif 000002
【特許請求の範囲】
【請求項１】
ライトプロテクトのオン・オフの設定が可能な光ディスクを所定の最適サーボオフセット値に基づくトラッキングサーボ制御及びフォーカシングサーボ制御を行いながら記録再生する光学的情報記録再生装置において、
前記ライトプロテクトのオン・オフを検出する検出手段と、
前記光ディスクの記録テスト領域でサーボオフセット値を所定の変更方式に従い変化させながらオフセット調整用マークの試行記録を行い且つ該サーボオフセット値を前記変更方式に従い変化させながら該マークを再生することによってその再生信号の品位と該サーボオフセット値とを互いに対応付けて学習する第１の学習手段と、
前記記録テスト領域での試行記録を行なわずに前記サーボオフセット値を所定の変更方式に従い変化させながら前記光ディスクに記録されているユーザデータを再生することによってその再生信号の品位と該サーボオフセット値とを互いに対応付けて学習する第２の学習手段と、
前記検出手段の検出結果により前記ライトプロテクトがオフの場合に前記第１の学習手段に切り換え、前記ライトプロテクトがオンの場合に前記第２の学習手段に切り換える切換手段と、
前記切換手段により切り換えられた前記第１の学習手段又は前記第２の学習手段による学習結果に基づいて前記再生信号の品位の最も良い時の前記サーボオフセット値を前記最適サーボオフセット値として設定する設定手段とを有することを特徴とする光学的情報記録再生装置。
【発明の詳細な説明】
【０００１】
【発明の属する技術分野】
本発明は、光磁気ディスク等を記録再生する光ディスク装置等の光学的情報記録再生装置に関し、特にその再生時のトラッキングサーボ制御及びフォーカシングサーボ制御におけるサーボオフセットの調整に関するものである。
【０００２】
【従来の技術】
一般に、光ディスク装置においてサーボオフセットの調整を行なう場合は、光ディスク上の所定のテスト領域に補正用マークを記録し、記録された補正用マークを再生することによってサーボオフセットの最適値を求め、これによりサーボオフセットを調整するようになっている。このサーボオフセットの調整では、あらかじめライトプロテクトがオンに設定されている光ディスクを用いると、補正用マークを記録することができないので、その対策として、プリピットマークの再生信号から最適なサーボオフセット値を求める手法が知られている（例えば、特許文献１参照）。
【０００３】
【特許文献１】
特開平１０−２６９５９１号公報
【０００４】
【発明が解決しようとする課題】
光磁気ディスクは、書き換え可能なメディアであり、重ね書きを防止するためのスイッチがディスクカートリッジに設けられている。また、記録装置に重ね書き防止を設定するコマンドが設けられている。これらの機能は、一般にライトプロテクトと呼ばれている。このライトプロテクトがオンに設定されている場合は、記録を禁止し、データの誤消去を防止する。
【０００５】
これに対し、ライトプロテクトがオフの場合、サーボオフセットの調整は、オフセット調整用マークを記録し、記録されたオフセット調整用マークを再生することによって、得られた再生信号の品位からオフセット値の最適値を求める手法が用いられているが、ライトプロテクトがオンの場合、オフセット調整用マークを記録することができなくなる。この場合は、上記特許文献１の方法のようにプリピットマークからサーボオフセット値を学習することが考えられる。
【０００６】
しかしながら、ユーザが記録する光磁気マークは、記録装置、記録時の条件等によって、サーボオフセット値が異なる場合がある。また、ライトプロテクトがオンの状態でプリピットマークからサーボオフセット値を学習した場合、プリピットマークを基準にしたオフセット値に調整されるので、記録装置の違いにより光磁気マークの最適なサーボオフセット値と異なる。
【０００７】
したがって、プリピットマークによるオフセット調整では、オフセット誤差が生じて記録装置に依存するオフセット調整ができない。また、気温や湿度、記録装置内の温度など使用環境に左右される記録条件の違いによっても、前記と同様にオフセット誤差が生じ、精度の良いサーボオフセット値を学習することができないという問題がある。
【０００８】
本発明は、ライトプロテクトがオンの状態である場合でも、記録装置や記録条件の違いによるオフセット誤差を補正し、ライトプロテクトのオン・オフの設定に依存することなく、最適なサーボオフセット値を精度良く決定し、調整を行なうことを目的とする。
【０００９】
【課題を解決するための手段】
上記の目的を達成するため、本発明ではライトプロテクトの状態を検出する手段と、サーボオフセット調整用のマークの記録、再生を行なうことによってサーボオフセット値を学習する第１の学習手段と、ユーザデータを再生することによってサーボオフセット値を学習する第２の学習手段とを有することを特徴とする。
【００１０】
ライトプロテクトの状態を検出する手段は、ライトプロテクトのオン・オフの状態を判断し、ライトプロテクト制御部で第１の学習手段と第２の学習手段を切り換える。
【００１１】
これにより、ライトプロテクトがオフである設定を検出した場合は、光ディスクの所定のテスト領域にサーボオフセット調整用のマークを記録、再生し、サーボオフセット値を学習することで最適なサーボオフセットの調整を行なう。
【００１２】
一方、ライトプロテクトがオンである設定を検出した場合には、光ディスクの管理情報から日付、機種ＩＤなどの記録時の条件を検出し、ユーザが再生する部位のユーザ領域に記録されているデータを再生することによってサーボオフセット値を学習し、最適なサーボオフセットの調整を行なう。
【００１３】
この結果、光ディスク及び記録装置において設定されるライトプロテクトのオン・オフの状態に依存することなく、記録装置や記録条件の違いによるオフセット誤差を補正することによって、最適なサーボオフセットの調整が可能になる。
【００１４】
本発明は、このような着想を元に完成されたもので、ライトプロテクトのオン・オフの設定が可能な光ディスクを所定の最適サーボオフセット値に基づくトラッキングサーボ制御及びフォーカシングサーボ制御を行いながら記録再生する光学的情報記録再生装置において、前記ライトプロテクトのオン・オフを検出する検出手段と、前記光ディスクの記録テスト領域でサーボオフセット値を所定の変更方式に従い変化させながらオフセット調整用マークの試行記録を行い且つ該サーボオフセット値を前記変更方式に従い変化させながら該マークを再生することによってその再生信号の品位と該サーボオフセット値とを互いに対応付けて学習する第１の学習手段と、前記記録テスト領域での試行記録を行なわずに前記サーボオフセット値を所定の変更方式に従い変化させながら前記光ディスクに記録されているユーザデータを再生することによってその再生信号の品位と該サーボオフセット値とを互いに対応付けて学習する第２の学習手段と、前記検出手段の検出結果により前記ライトプロテクトがオフの場合に前記第１の学習手段に切り換え、前記ライトプロテクトがオンの場合に前記第２の学習手段に切り換える切換手段と、前記切換手段により切り換えられた前記第１の学習手段又は前記第２の学習手段による学習結果に基づいて前記再生信号の品位の最も良い時の前記サーボオフセット値を前記最適サーボオフセット値として設定する設定手段とを有することを特徴とする。
【００１５】
【発明の実施の形態】
以下、本発明に係る光学的情報記録再生装置の実施の形態を図１〜図８を参照して説明する。
（第１の実施形態）
本実施形態を図１及び図２を用いて説明する。
【００１６】
図１は、本実施形態の光ディスク装置（光学的情報記録再生装置）で用いる光ディスク及びそのディスクカートリッジを示す図、図２は、本実施形態の光ディスク装置の構成を示すブロック図である。
【００１７】
図１において、１０１は光ディスク、１０２は光ディスク１０１を納めているディスクカートリッジ、１０３はライトプロテクトのオン・オフを切り換えるスイッチ（ライトプロテクト用オン・オフ切換スイッチ）である。
【００１８】
光ディスク１０１は、本実施形態では光磁気ディスク（ＭＯ）で構成され、その回転方向の１トラックが例えば（１回転）１２８０セグメントに分かれ、各トラックの最初のセグメントは０セグメント、最後のセグメントは１２７９セグメントに割り当てられている。
【００１９】
ディスクカートリッジ１０２上のライトプロテクト用オン・オフ切換スイッチ１０３は、機械的に開閉が可能なスイッチであり、これによってユーザがディスクカートリッジ１０２を光ディスク装置内に挿入する前にライトプロテクトのオン・オフを切り換え可能となっている。
【００２０】
図２に示す光ディスク装置は、本実施形態では光磁気ディスク駆動装置（ＭＯドライブ）で構成される。図２において、２０１は前記１０１と同じ光ディスク、２１６は前記１０２と同じ光ディスク２０１を納めているディスクカートリッジ、２１７は前記１０３と同じライトプロテクトのオン・オフを切り換えるスイッチ（ライトプロテクト用オン・オフ切換スイッチ）、２０２は光学ヘッド（光ピックアップ）、２０３は検出回路、２０４はトラッキングオフセット調整回路、２０５はフォーカスオフセット調整回路、２０６はドライバ、２０７はスピンドルモータ、２０８はＲＦ信号品位検出回路、２０９はコントローラ、２１０はアドレス再生回路である。
【００２１】
また、２１１はライトプロテクト検出部（本発明の検出手段を成す）、２１２はライトプロテクト制御部（本発明の切換手段を成す）、２２０はオフセット調整部（本発明の設定手段を成す）、２１３はオフセット調整部２２０のうち第１学習手段によるオフセット調整部（本発明の第１の学習手段を成す）、２１４はオフセット調整部２２０のうち第２学習手段によるオフセット調整部（本発明の第２の学習手段を成す）、２１５は磁気ヘッドである。
【００２２】
上記構成において、ディスクカートリッジ２１６を光ディスク装置に挿入する前にライトプロテクト用オン・オフ切換スイッチ２１７で設定されたライトプロテクトのオン・オフは、ディスクカートリッジ２１６のローディング時に、ライトプロテクト検出部２１１により検出される。
【００２３】
その結果、ライトプロテクト検出部２１１によりライトプロテクトがオフの状態であると判断された場合、ライトプロテクト制御部２１２により第１の学習手段によるオフセット調整部２１３に切り換え、これによるサーボオフセット調整動作が行われる。一方、ライトプロテクト検出部２１１によりライトプロテクトがオンの状態であると判断された場合、ライトプロテクト制御部２１２により第２の学習手段によるオフセット調整部２１４に切り換え、これによるサーボオフセット調整動作が行われる。
【００２４】
次に、本実施形態における光ディスク装置の動作について説明する。
【００２５】
まず、スピンドルモータ２０７で回転駆動された光ディスク２０１に光学ヘッド２０２内のレーザー光源（図示しない）からレーザー光が照射され、その戻り光が再び光学ヘッド２０２内のセンサー（図示しない）で受光され、その受光信号は、検出回路２０３で検出される。この検出信号出力であるサーボ信号は、トラッキングオフセット調整回路２０４及びフォーカスオフセット調整回路２０５にそれぞれ入力される。これにより、トラッキングオフセット調整回路２０４にてトラッキングエラー信号が検出、出力され、これによりトラッキング制御が行われる。またフォーカスについても、フォーカスオフセット調整回路２０５にてフォーカスエラー信号が検出、出力され、これによりフォーカス制御が行われる。
【００２６】
上記トラッキング制御及びフォーカス制御において、トラッキングオフセット調整回路２０４及びフォーカスオフセット調整回路２０５でそれぞれのサーボオフセットが加算され、位相補償され、その結果がドライバ２０６に出力される。これにより、ドライバ２０６の駆動制御によって光学ヘッド２０２内のアクチュエータ（図示しない）を介してトラッキングサーボをかけ、光学ヘッド２０２からのレーザー光が光ディスク２０１上のデータトラックに沿うように制御される。フォーカスについても、同様にドライバ２０６の駆動制御によって光学ヘッド２０２内のアクチュエータ（図示しない）を介してフォーカシングサーボをかけ、光学ヘッド２０２からのレーザー光の焦点が光ディスク２０１上のデータ面に合うように制御される。
【００２７】
次に、第１の学習手段によるオフセット調整部２１３及び第２の学習手段によるオフセット調整部２１４における具体的なサーボオフセット学習動作について、詳細を説明する。
【００２８】
図３は、サーボオフセットを調整する処理の流れを示したフローチャートである。図３に示す各処理（ステップ３０１〜３１０）は、コントローラ２０９によって制御される。
【００２９】
まず、サーボオフセット調整開始時に、ディスクカートリッジ２１６上のライトプロテクト用切換スイッチ２１７の状態をライトプロテクト検出部２１１で検出し、ライトプロテクトのオン・オフの確認をする（ステップ３０１）。
【００３０】
これにより、ライトプロテクトがオフの状態になっている場合は、第１の学習手段によるオフセット調整部２１３の処理（ステップ３０２〜３０４）が、またライトプロテクトがオンの状態になっている場合は、再生部位のチェック後（ステップＳ３０５）、第２の学習手段によるオフセット調整部２１４の処理（ステップ３０６〜３０８）がそれぞれ実行される。以下、ライトプロテクトがオフの場合とオンの場合とに分けて説明する。
（ライトプロテクトがオフの場合）
上記ステップ３０１の処理によりディスクカートリッジ２１６のライトプロテクトがオフの状態になっている場合は、光ディスク２０１上のユーザ領域とは異なる所定のテスト用の記憶領域にシークし（ステップ３０２）、その目的の記録開始トラックアドレス手前のトラックにアクセスし、トラック追従動作に入る。
【００３１】
そして、コントローラ２０９は、アドレス再生回路２１０を監視し、記録開始トラックアドレスのセグメント番号が０に達したら、光学ヘッド２０２内のレーザーを記録パワーにすると同時に、磁気ヘッド２１５を記録データで変調し、オフセット調整用に用いるマークを記録する（ステップ３０３）。
【００３２】
このときに、トラッキングオフセット調整回路２０４あるいはフォーカスオフセット調整回路２０５にて記録開始時点のオフセットが０になるようにオフセットを発生させる。具体的には、コントローラ２０９にてアドレス再生回路２１０を監視し、セグメント番号が６４増えるごとに、オフセットを変更する。オフセットを調整時のプラス（＋）側最大オフセットまで増加させたのち、マイナス（−）側最大オフセットまで減少させ、１トラック終了セグメントでは、０にもどるように設定する。
【００３３】
ここで、上記オフセットの変更方法の一例を図４に示す。
【００３４】
図４において、横軸はセグメント番号、縦軸はオフセット量（μｍ）のプラス（＋）側最大量（＋０．０５μｍ）を＋１００％とし、マイナス（−）側最大量（−０．０５μｍ）を−１００％としたときのパーセンテージ（％）である。図４では、６４セグメント毎にオフセットを変更し、最大＋１００％から−１００％へ１１段階のオフセットを設定できるようになっている。オフセット変更のセグメント数は、６４ごとに限定されるものではなく、サーボの過渡応答特性に合わせて、任意のセグメント数に設定することも可能である。オフセット調整用マークとして、既知の擬似ランダム信号を３トラック記録し、３トラックとも上記の方法で記録する。
【００３５】
上記の記録が終了すると、オフセット調整用マークの再生を行なう（ステップ３０４）。この処理では、上記ステップ３０３で記録した３トラックの中央のトラックを再生するため、目的の再生開始トラックアドレス手前のトラックにアクセスし、トラック追従動作に入る。
【００３６】
そして、コントローラ２０９は、アドレス再生回路２１０を監視し再生開始トラックアドレスのセグメント番号が０に達したら、光学ヘッド２０２内のレーザーを再生パワーにし、光磁気信号再生を開始する。
【００３７】
次いで、コントローラ２０９は、トラッキングオフセット調整回路２０４あるいはフォーカスオフセット調整回路２０５にて再生開始時点のオフセットが０になるようにオフセットを設定する。
【００３８】
次に、コントローラ２０９は、アドレス再生回路２１０を監視し、セグメント番号が６４増えるごとに、オフセットを変更するとともに、ＲＦ信号品位検出回路２０８の結果を取得保持し、サーボオフセット値を学習する（ステップ３０９）。このときのオフセットの変更方法は、記録時と同様とする。
【００３９】
これにより、１トラックの最後のセグメントで再生終了となり、サーボオフセット値を学習した結果をもとに、最良のＲＦ信号品位検出結果つまり、最も再生品位の良い時のオフセット値を最良と判断する。再生品位の良い時とは、エラーレートが小さい時である。
【００４０】
図５は、サーボオフセット値と再生品位の関係を示したグラフである。横軸はオフセット量（μｍ）、縦軸はエラーレート（相対値）を表している。例えば、図５に示すグラフａにおいては、エラーレートが最小となるＡのオフセット値に調整し、最適なサーボオフセット値を設定する（ステップ３１０）。
（ライトプロテクトがオンの場合）
一方、上記ステップ３０１の処理にてディスクカートリッジ２１６のライトプロテクトがオンの状態になっている場合は、ユーザが再生する部位をチェックし（ステップ３０５）、目的の再生開始トラックアドレス手前のトラックにアクセスし、トラック追従動作に入り、再生するユーザ領域にシークする（ステップ３０６）。
【００４１】
次いで、光ディスク２０１の管理情報には再生部位ごとに日付や機種ＩＤなどの記録時の条件が書き込まれているので、その管理情報からユーザが再生しようとする部位における記録時の条件を検出する（ステップ３０７）。
【００４２】
図６は、ユーザ領域の概念図であり、図６中のａ、ｂ、ｃは、ユーザデータを示している。上記ステップ３０５で再生する部位をチェックした結果と上記ステップ３０７で検出した記録時の条件との相違から、再生するユーザデータａ、ｂ、ｃの先頭を検出する。
【００４３】
次いで、コントローラ２０９は、アドレス再生回路２１０を監視し再生開始トラックアドレスのセグメント番号が０に達したら、光ピックアップ２０２内のレーザーを再生パワーにし、光磁気信号再生を開始して再生部位のユーザ領域を再生する（ステップ３０８）。
【００４４】
そして、コントローラ２０９は、トラッキングオフセット調整回路２０４あるいはフォーカスオフセット調整回路２０５にて再生開始時点のオフセットが０になるようにオフセットを設定する。
【００４５】
次に、コントローラ２０９は、アドレス再生回路２１０を監視し、セグメント番号が６４増えるごとに、オフセットを変更するとともに、ＲＦ信号品位検出回路２０８の結果を取得保持し、サーボオフセット値を学習する（ステップ３０９）。
【００４６】
このときに、図６に示すように、ユーザデータの先頭を検出したタイミングでサーボオフセット値を学習し、その学習結果をもとに、最良のＲＦ信号品位検出結果、つまり最も再生品位の良い時のオフセット値を最良と判断して、最適なサーボオフセット値を設定する（ステップ３１０）。
【００４７】
以上のようにして、ライトプロテクトがオフの場合は、第１の学習手段によるオフセット調整部２１３によって所定のテスト領域を記録、再生することによりサーボオフセット値を再生信号の品位に対応付けて学習し、ライトプロテクトがオンの場合は、第２の学習手段によるオフセット調整部２１４によって各再生部位のユーザ領域を再生することによりサーボオフセット値を再生信号の品位に対応付けて学習し、いずれの場合も、その学習結果をもとに最も再生信号の品位の良い時のサーボオフセット値を最適値として設定可能となる。
【００４８】
従って、本実施形態によれば、記録装置、記録条件などに依存するオフセット誤差を補正し、最適なサーボオフセット値を学習することが可能になる。すなわち、ライトプロテクトがオンの状態の場合、光ディスクの管理情報などから記録条件を検出し、再生部位ごとにユーザデータからサーボオフセット値を学習することによって、記録装置や記録条件の違いによるオフセット誤差を補正し、精度の良いサーボオフセットの調整が可能になる。
【００４９】
なお、上記実施形態では、ライトプロテクト検出部（検出手段）、ライトプロテクト制御部（切換手段）、第１学習手段によるオフセット調整部（第１の学習手段）、第２学習手段によるオフセット調整部（第２の学習手段）、及びオフセット調整部（設定手段）によりサーボオフセットの学習及びその調整処理について説明しているが、再生パワーの学習及びその調整処理についても同様の手段を適用することが可能である。
（第２の実施形態）
上記実施形態では、サーボオフセット値の学習処理を行っているが、本実施形態は、図２と同様の装置構成において再生パワーの学習処理を行うものである。この再生パワーの学習処理について、図７のフローチャートを用いて説明する。この処理も、前述のサーボオフセット値の学習処理と同様にコントローラ２０９によって制御される。
【００５０】
図７において、再生パワー学習開始時に、ライトプロテクトを切り換えるスイッチ２１７の状態をライトプロテクト検出部２１１で検出し、ライトプロテクトのオン・オフを確認する（ステップ７０１）。
【００５１】
これにより、ライトプロテクトがオンの場合は、コントローラ２０９は、再生パワー学習時のパワー変化の上限を低く設定し（ステップ７０２）、再生パワー学習を開始する（ステップ７０３）。一方、ライトプロテクトがオフの場合は、コントローラ２０９は、再生パワー学習時のパワー変化の上限を変更せずに、再生パワー学習を開始する（ステップ７０３）。
【００５２】
再生パワー学習を開始する際に、コントローラ２０９は、再生パワーの初期値を設定し、再生信号を測定した結果をもとに、再生信号の品位を比較する（ステップ７０４）。この場合、品位の良い再生信号とは、エラーレートが小さい信号のことである。再生パワーのパワー変化が上限に達するまで、再生パワーを例えば０．１ｍＷずつ上昇させ（ステップ７０５、７０６）、再生信号の品位を比較する。例えば、ＤＷＤＤ方式の光磁気ディスクのように再生パワーの調整値が約２．３ｍＷの場合には、２．３±０．５ｍＷの範囲で再生パワーを０．１ｍＷずつ上昇させることが望ましい。
【００５３】
図８は、再生パワーとエラーレートの関係を示したグラフである。例えば、図８に示すように０．１ｍＷずつ再生パワーを上昇させ、エラーレートが最小値となるように再生パワーを調整する。コントローラ２０９は、上記処理により再生パワー学習を行ない、最適な再生パワーを設定する（ステップ７０７）。
【００５４】
以上のようにして、本実施形態によれば、ライトプロテクトがオンの場合には、再生パワー変化の上限をライトプロテクトがオフの場合よりも低く設定し、再生パワー学習の範囲を狭くすることによって、記録開始パワーまで再生パワーを上げすぎることがなくなり、データの誤消去を防止することができる。
【００５５】
なお、上記実施形態では、光学的情報記録再生装置である光ディスク装置としてＭＯドライブを例示しているが、本発明はこれに限らず、ライトプロテクトのオン・オフ切り換えが可能な光ディスクを記録再生する光ディスク装置あれば、例えば、相変化型媒体を用いた光ディスク装置等、いずれでも適用可能である。以上本発明の実施形態について説明したが、本発明の好適な実施の態様を以下のとおり列挙する。
［実施態様１］  ライトプロテクトのオン・オフの設定が可能な光ディスクを所定の最適サーボオフセット値に基づくトラッキングサーボ制御及びフォーカシングサーボ制御を行いながら記録再生する光学的情報記録再生装置において、前記ライトプロテクトのオン・オフを検出する検出手段と、前記光ディスクの記録テスト領域でサーボオフセット値を所定の変更方式に従い変化させながらオフセット調整用マークの試行記録を行い且つ該サーボオフセット値を前記変更方式に従い変化させながら該マークを再生することによってその再生信号の品位と該サーボオフセット値とを互いに対応付けて学習する第１の学習手段と、前記記録テスト領域での試行記録を行なわずに前記サーボオフセット値を所定の変更方式に従い変化させながら前記光ディスクに記録されているユーザデータを再生することによってその再生信号の品位と該サーボオフセット値とを互いに対応付けて学習する第２の学習手段と、前記検出手段の検出結果により前記ライトプロテクトがオフの場合に前記第１の学習手段に切り換え、前記ライトプロテクトがオンの場合に前記第２の学習手段に切り換える切換手段と、前記切換手段により切り換えられた前記第１の学習手段又は前記第２の学習手段による学習結果に基づいて前記再生信号の品位の最も良い時の前記サーボオフセット値を前記最適サーボオフセット値として設定する設定手段とを有することを特徴とする光学的情報記録再生装置。
［実施態様２］  ライトプロテクトのオン・オフの設定が可能な光ディスクを所定の最適再生パワーで再生する光学的情報記録再生装置において、前記ライトプロテクトのオン・オフを検出する検出手段と、前記光ディスクの記録テスト領域での再生パワーを所定の変更方式に従い変化させながら試行記録再生を行うことによってその再生信号の品位と該再生パワーとを互いに対応付けて学習する第１の学習手段と、前記記録テスト領域での試行記録を行なわずに前記再生パワーを所定の変更方式に従い変化させながら前記光ディスクに記録されているユーザデータを再生することによってその再生信号の品位と該再生パワー値とを互いに対応付けて学習する第２の学習手段と、前記検出手段の検出結果により前記ライトプロテクトがオフの場合に前記第１の学習手段に切り換え、前記ライトプロテクトがオンの場合に前記第２の学習手段に切り換える切換手段と、前記切換手段により切り換えられた前記第１の学習手段又は前記第２の学習手段による学習結果に基づいて前記再生信号の品位の最も良い時の前記再生パワーを前記最適再生パワーとして設定する設定手段とを有することを特徴とする光学的情報記録再生装置。
［実施態様３］  前記ライトプロテクトがオンに設定されている場合、前記第２の学習手段は、再生する部位のユーザデータ領域を再生し、再生部位ごとに前記サーボオフセット値を学習することを特徴とする実施態様１に記載の光学的情報記録再生装置。
［実施態様４］  前記ライトプロテクトがオンに設定されている場合、前記第２の学習手段は、前記光ディスクに記録されている管理情報から各再生部位の記録条件の相違を検出し、再生部位ごとの学習を実行することを特徴とする実施態様１又は２に記載の光学的情報記録再生装置。
［実施態様５］  前記ライトプロテクトがオンに設定されている場合、前記第２の学習手段は、前記再生パワーの学習を行なう際に、その再生パワーの上限を低く設定し、該再生パワー学習の範囲を狭くして学習を実行することを特徴とする実施態様２に記載の光学的情報記録再生装置。
［実施態様６］  前記変更方式は、前記光学ディスク上の所定数又は任意数のセグメント毎に変更するものであることを特徴とする実施態様１に記載の光学的情報記録再生装置。
［実施態様７］  前記再生信号の品位は、エラーレートに基づくものであることを特徴とする実施態様１又は２に記載の光学的情報記録再生装置。
［実施態様８］  ライトプロテクトのオン・オフの設定が可能な光ディスクを所定の最適サーボオフセット値に基づくトラッキングサーボ制御及びフォーカシングサーボ制御を行いながら記録再生する光学的情報記録再生方法において、前記ライトプロテクトのオン・オフを検出するステップと、前記ライトプロテクトのオフが検出されたときに前記光ディスクの記録テスト領域でサーボオフセット値を所定の変更方式に従い変化させながらオフセット調整用マークの試行記録を行い且つ該サーボオフセット値を前記変更方式に従い変化させながら該マークを再生することによってその再生信号の品位と該サーボオフセット値とを互いに対応付けて学習する第２の学習ステップと、前記ライトプロテクトのオンが検出されたときに前記記録テスト領域での試行記録を行なわずに前記サーボオフセット値を所定の変更方式に従い変化させながら前記光ディスクに記録されているユーザデータを再生することによってその再生信号の品位と該サーボオフセット値とを互いに対応付けて学習する第１の学習ステップと、前記第１の学習ステップ又は第２の学習ステップの学習結果に基づいて前記再生信号の品位の最も良い時の前記サーボオフセット値を前記最適サーボオフセット値として設定するステップとを有することを特徴とする光学的情報記録再生方法。
【００５６】
【発明の効果】
以上説明したように、本発明によれば、ライトプロテクトがオンの状態の場合でも、光ディスク上に記録されているユーザデータからサーボオフセット値を学習するため、記録装置や記録条件の違いによるオフセット誤差を補正し、ライトプロテクトのオン・オフの設定に依存することなく、最適なサーボオフセット値を精度良く決定し、調整を行うことができる。
【００５７】
また、再生パワーに関して、ライトプロテクトがオンの状態の場合、再生パワー変化の上限をライトプロテクトがオフの場合よりも低く設定し、再生パワー学習の範囲を狭くする態様では、記録開始パワーまで再生パワーを上げすぎることがなくなり、データの誤消去を防止することができる。
【図面の簡単な説明】
【図１】本発明の第１実施形態に係る光ディスク装置（本発明の光学的情報記録再生装置）で用いる光ディスク及びそのディスクカートリッジを示す平面図である。
【図２】本発明の第１実施形態に係る光ディスク装置の構成を示すブロック図である。
【図３】本発明の第１実施形態に係る光ディスク装置によるサーボオフセットを調整する処理の流れを示したフローチャートである。
【図４】オフセット測定時の印加オフセットの設定例である。
【図５】サーボオフセット値と再生信号の品位との関係を示すグラフである。
【図６】ディスクのユーザ領域を示した概念図である。
【図７】本発明の第２実施形態に係る光ディスク装置による最適再生パワー学習処理の流れを示すフローチャートである。
【図８】再生パワーとエラーレートの関係を示したグラフである。
【符号の説明】
１０１、２０１  光ディスク
１０２、２１６  ディスクカートリッジ
１０３、２１７  ライトプロテクトのオン・オフを切り換えるスイッチ
２０２  光学ヘッド（光ピックアップ）
２０３  検出回路
２０４  トラッキングオフセット調整回路
２０５  フォーカスオフセット調整回路
２０６  ドライバ
２０７  スピンドル
２０８  ＲＦ信号検出回路
２０９  コントローラ
２１０  アドレス再生回路
２１１  ライトプロテクト検出部
２１２  ライトプロテクト制御部
２１３  第１学習手段によるオフセット調整部
２１４  第２学習手段によるオフセット調整部
２１５  磁気ヘッド
２２０  オフセット調整部
【図１】
2004318982.tif 000003
【図２】
2004318982.tif 000004
【図３】
2004318982.tif 000005
【図４】
2004318982.tif 000006
【図５】
2004318982.tif 000007
【図６】
2004318982.tif 000008
【図７】
2004318982.tif 000009
【図８】
2004318982.tif 000010